【事件の表示】
　特許第３０３８１３５号「空気調和機の室内ユニット」の請求項１ないし７に係る特許に対する特許異議の申立てについて、次のとおり決定する。
【結　論】
　訂正を認める。
　特許第３０３８１３５号の請求項１、２、５、６、７に係る特許を取り消す。
　同請求項３、４に係る特許を維持する。
【理　由】
１．手続の経緯
　特許第３０３８１３５号（平成７年５月２２日出願、平成１２年２月２５日設定登録、以下、「本件特許」という。）に対する異議申立事件の手続の経緯は、以下のとおりである。  
　　　異議申立　　　　　　　　　平成１２年１１月　７日
　　　取消理由通知（発送日）　　平成１３年　７月１０日
　　　訂正請求　　　　　　　　　平成１３年　９月１０日
　　　意見書　　　　　　　　　　平成１３年　９月１０日
　　
２．訂正の適否についての判断
（１）訂正事項
（ア）訂正事項１
　特許請求の範囲請求項１の、                              
「【請求項１】
　前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、この熱交換器に被空調室の熱交換空気を導き、熱交換させて再び被空調室へ送風する室内送風機とを具備した空気調和機の室内ユニットにおいて、
　上記熱交換器側面部から少なくとも２本の補助配管が突出され、
　上記室内送風機は、上記前側熱交換器および後側熱交換器が傘状となって覆う位置に配置される送風ファンおよびこれら熱交換器の一側部から突出した位置に配置されるファンモータとからなり、
　上記補助配管は、上記ファンモータ周面と上記後板の板面との隙間を挿通して配管されることを特徴とする空気調和機の室内ユニット。」を、
「【請求項１】
　前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、この熱交換器に被空調室の熱交換空気を導き、熱交換させて再び被空調室へ送風する室内送風機とを具備した空気調和機の室内ユニットにおいて、
　上記熱交換器側面部から少なくとも２本の補助配管が突出され、
　上記室内送風機は、上記前側熱交換器および後側熱交換器が傘状となって覆う位置で、これら熱交換器と相対向して配置される送風ファンおよびこれら熱交換器の一側部から突出し上記送風ファンとの隙間を短縮した位置に配置されるファンモータとからなり、
　上記補助配管は、上記ファンモータの上部側に形成されるスペースを介して、ファンモータ周面と上記後板の板面との隙間を挿通して配管されることを特徴とする空気調和機の室内ユニット。」と訂正する。
　　
（イ）訂正事項２
　特許請求の範囲請求項３の、
「【請求項３】
　上記後板は、上記補助配管とファンモータ周面との間に介在して補助配管のファンモータへの接触を規制する規制用突部を備えたことを特徴とする請求項１および請求項２記載の空気調和機の室内ユニット。」を、
「【請求項３】
　上記後板は、上記補助配管とファンモータ周面との間に介在して補助配管のファンモータへの接触を規制する規制用突部を備えたことを特徴とする請求項１または請求項２記載の空気調和機の室内ユニット。」と訂正する。
　　
（ウ）訂正事項３
  特許請求の範囲請求項４の、
「【請求項４】
　上記遮蔽部材には、補助配管とファンモータとの間に介挿され、補助配管のファンモータへの接触を規制するリブが一体に突設されることを特徴とする請求項１および請求項２記載の空気調和機の室内ユニット。」を、
「【請求項４】
　上記遮蔽部材には、補助配管とファンモータとの間に介挿され、補助配管のファンモータへの接触を規制するリブが一体に突設されることを特徴とする請求項２記載の空気調和機の室内ユニット。」と訂正する。
　　
（エ）訂正事項４
　特許請求の範囲請求項５の、
「【請求項５】
　前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、熱交換器に被空調室の熱交換空気を導き熱交換させて再び被空調室へ送風する室内送風機とを具備した空気調和機の室内ユニットにおいて、
　上記熱交換器側面部から少なくとも２本の補助配管が突出され、
　上記室内送風機は、上記前側熱交換器および後側熱交換器が傘状となって覆う位置に配置される送風ファンおよびこれら熱交換器の一側部から突出した位置に配置されるファンモータとからなり、
　上記後板は、上記ファンモータの背面側に、上記補助配管挿通用の凹溝部が一体に凹陥形成されることを特徴とする空気調和機の室内ユニット。」を、
「【請求項５】
　前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、熱交換器に被空調室の熱交換空気を導き熱交換させて再び被空調室へ送風する室内送風機とを具備した空気調和機の室内ユニットにおいて、
　上記熱交換器側面部から少なくとも２本の補助配管が突出され、
　上記室内送風機は、上記前側熱交換器および後側熱交換器が傘状となって覆う位置で、これら熱交換器と相対向して配置される送風ファンおよびこれら熱交換器の一側部から突出し上記送風ファンとの隙間を短縮した位置に配置されるファンモータとからなり、
　上記後板は、上記ファンモータの背面側に、上記補助配管挿通用の凹溝部が一体に凹陥形成され、上記補助配管は、上記ファンモータの上部側に形成されるスペースを介して上記補助配管挿通用の凹溝部を挿通して配管されることを特徴とする空気調和機の室内ユニット。」と訂正する。
　　
（オ）訂正事項５
  特許請求の範囲請求項６の、
「【請求項６】
　上記補助配管は、個々に分割されてシールドパイプに収納されることを特徴とする請求項１および請求項５記載の空気調和機の室内ユニット。」を、
「【請求項６】
　上記補助配管は、個々に分割されてシールドパイプに収納されることを特徴とする請求項１または請求項５記載の空気調和機の室内ユニット。」と訂正する。
　　
（カ）訂正事項６
  特許請求の範囲請求項７の、
「【請求項７】
　上記少なくとも２本の補助配管は、互いに後板の板面と平行に並べて配置されることを特徴とする請求項１、請求項５および請求項６記載の空気調和機の室内ユニット。」を、
「【請求項７】
　上記少なくとも２本の補助配管は、互いに後板の板面と平行に並べて配置されることを特徴とする請求項１または請求項５記載の空気調和機の室内ユニット。」と訂正する。
　　
（キ）訂正事項７
　願書に添付した明細書の段落【０００９】中の、
「そのため、ファモータンおよび横流ファン周面と後板との間に、補助配管を挿通するスペースがない。」を、
「そのため、ファンモータおよび横流ファン周面と後板との間に、補助配管を挿通するスペースがない。」と訂正する。
　　
（ク）訂正事項８
　願書に添付した明細書の段落【００１６】乃至【００２１】の、
「【００１６】
【課題を解決するための手段】
　上記目的を満足するため、第１の発明の空気調和機の室内ユニットは、請求項１として、前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、この熱交換器に被空調室の熱交換空気を導き、熱交換させて再び被空調室へ送風する室内送風機とを具備した空気調和機の室内ユニットにおいて、上記熱交換器の側面部から少なくとも２本の補助配管が突出され、上記室内送風機は、上記前側熱交換器および後側熱交換器が傘状となって覆う位置に配置される送風ファンおよびこれら熱交換器の一側部から突出した位置に配置されるファンモータとからなり、上記補助配管は、上記ファンモータ周面と上記後板の板面との隙間を挿通して配管されることを特徴とする。
【００１７】
　請求項２として、請求項１記載の上記後板は、その角部に熱交換器の組み込み時に補助配管端部を後板表側から裏側へ通す切欠部が設けられ、この切欠部は、熱交換器を組み込んだあと遮蔽部材によって覆われることを特徴とする。
【００１８】
　請求項３として、請求項１および請求項２記載の上記後板は、上記補助配管とファンモータ周面との間に介在して補助配管のファンモータへの接触を規制する規制用突部を備えたことを特徴とする。
【００１９】
　請求項４として、請求項１および請求項２記載の上記遮蔽部材には、補助配管とファンモータとの間に介挿され、補助配管のファンモータへの接触を規制するリブが一体に突設されることを特徴とする。
【００２０】
　上記目的を満足するため、第２の発明の空気調和機の室内ユニットは、請求項５として、前面パネルと後板とを組合わせた筐体であるユニット本体と、このユニット本体内部に収容配置され、側面視で逆Ｖ字状に折り曲げられる、上側熱交換器と後側熱交換器との連設体である熱交換器と、熱交換器に被空調室の熱交換空気を導き熱交換させて再び被空調室へ送風する室内送風機とを具備した空気調和機の室内ユニットにおいて、上記熱交換器の側面部から少なくとも２本の補助配管が突出され、上記室内送風機は、上記前側熱交換器および後側熱交換器が傘状となって覆う位置に配置される送風ファンおよびこれら熱交換器の一側部から突出した位置に配置されるファンモータとからなり、上記後板は、上記ファンモータの背面側に、上記補助配管挿通用の凹溝部が一体に凹陥形成されることを特徴とする。
【００２１】
　請求項６として、請求項１および請求項５記載の上記補助配管は、個々に分割されてシールドパイプに収納されることを特徴とする。請求項７として、請求項１、請求項５および請求項６記載の少なくとも２本の補助配管は、互いに後板の板面と平行に並べて配置されることを特徴とする。」を、
「【００１６】
【課題を解決するための手段】
　上記目的を満足するため、第１の発明の空気調和機の室内ユニットは、請求項１として、前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、この熱交換器に被空調室の熱交換空気を導き、熱交換させて再び被空調室へ送風する室内送風機とを具備した空気調和機の室内ユニットにおいて、上記熱交換器の側面部から少なくとも２本の補助配管が突出され、上記室内送風機は、上記前側熱交換器および後側熱交換器が傘状となって覆う位置で、これら熱交換器と相対向して配置される送風ファンおよびこれら熱交換器の一側部から突出した位置に配置されるファンモータとからなり、上記補助配管は、上記ファンモータの上部側に形成されるスペースを介して、ファンモータ周面と上記後板の板面との隙間を挿通して配管されることを特徴とする。
【００１７】
　請求項２として、請求項１記載の上記後板は、その角部に熱交換器の組み込み時に補助配管端部を後板表側から裏側へ通す切欠部が設けられ、この切欠部は、熱交換器を組み込んだあと遮蔽部材によって覆われることを特徴とする。
【００１８】
　請求項３として、請求項１または請求項２記載の上記後板は、上記補助配管とファンモータ周面との間に介在して補助配管のファンモータへの接触を規制する規制用突部を備えたことを特徴とする。
【００１９】
　請求項４として、請求項２記載の上記遮蔽部材には、補助配管とファンモータとの間に介挿され、補助配管のファンモータへの接触を規制するリブが一体に突設されることを特徴とする。
【００２０】
　上記目的を満足するため、第２の発明の空気調和機の室内ユニットは、請求項５として、前面パネルと後板とを組合わせた筐体であるユニット本体と、このユニット本体内部に収容配置され、側面視で逆Ｖ字状に折り曲げられる、上側熱交換器と後側熱交換器との連設体である熱交換器と、熱交換器に被空調室の熱交換空気を導き熱交換させて再び被空調室へ送風する室内送風機とを具備した空気調和機の室内ユニットにおいて、上記熱交換器の側面部から少なくとも２本の補助配管が突出され、上記室内送風機は、上記前側熱交換器および後側熱交換器が傘状となって覆う位置で、これら熱交換器と相対向して配置される送風ファンおよびこれら熱交換器の一側部から突出し上記送風ファンとの隙間を短縮した位置に配置されるファンモータとからなり、上記後板は、上記ファンモータの背面側に、上記補助配管挿通用の凹溝部が一体に凹陥形成され、上記補助配管は、上記ファンモータの上部側に形成されるスペースを介して上記補助配管挿通用の凹溝部を挿通して配管されることを特徴とする。
【００２１】
　請求項６として、請求項１または請求項５記載の上記補助配管は、個々に分割されてシールドパイプに収納されることを特徴とする。請求項７として、請求項１または請求項５記載の少なくとも２本の補助配管は、互いに後板の板面と平行に並べて配置されることを特徴とする。」と訂正する。
　　
（２）訂正の目的の適否、新規事項の有無及び拡張・変更の存否
　訂正事項１は、請求項１において、「送風ファン」の配置位置を「熱交換器と相対向して配置される送風ファン」と、「ファンモータ」の配置位置を「上記送風ファンとの隙間を短縮した位置に配置されるファンモータ」と、「補助配管」の配管位置を「ファンモータの上部側に形成されるスペースを介して」と、それぞれ限定するもので、特許請求の範囲の減縮を目的とするものである。
　訂正事項２，３，５，６は、請求項３，４，６，７において、引用する請求項を択一的に引用していなかったものを、択一的に引用するように訂正したもので、誤記の訂正を目的とするものである。
　訂正事項４は、請求項５において、「送風ファン」の配置位置を「熱交換器と相対向して配置される送風ファン」と、「ファンモータ」の配置位置を「上記送風ファンとの隙間を短縮した位置に配置されるファンモータ」と、「補助配管」の配管位置を「上記補助配管は、上記ファンモータの上部側に形成されるスペースを介して上記補助配管挿通用の凹溝部を挿通して配管される」と、それぞれ限定するもので、特許請求の範囲の減縮を目的とするものである。
　訂正事項７は、「ファンモータ」とすべきところを「ファモータン」としたものを訂正するもので、誤記の訂正を目的とするものである。
　訂正事項８は、訂正事項１乃至６における特許請求の範囲の訂正にともない、特許請求の範囲の記載と、発明の詳細な説明の記載の整合をとるため訂正したものであって、明瞭でない記載の釈明を目的とするものである。
　　
　訂正事項１乃至８は、願書に添付した明細書又は図面に記載した事項の範囲内においてなされ、実質上特許請求の範囲を拡張し、又は変更するものでない。
　　
（３）まとめ
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　　
３．特許異議の申立ての概要
　特許異議申立人　株式会社富士通ゼネラルは、下記の甲第１号証乃至甲第５号証により、請求項１乃至７に係る発明の特許は、特許法第２９条第２項の規定に違反してなされたものであるから、取り消すべき旨主張している。
　甲第１号証：実願昭５６−７１１２号（実開昭５７−１２０９３０号）　　　　　　　　のマイクロフィルム
　甲第２号証：株式会社富士通ゼネラル・９４年製・ルームエアコン
　　　　　　　型式　ＡＳ２５ＷＰＲ−Ｗ（証拠写真）
　甲第２号証の２：株式会社富士通ゼネラル　ルームエアコン総合カタログ
　　　　　　　　　平成６年８月発行
　甲第２号証の３：仕入伝票（ＡＳ２５ＷＰＲ−Ｗの販売を証明する書面）
　甲第３号証：特開平７−４２９６７号公報
　甲第４号証：実願昭６０−１３２０６２号（実開昭６２−４０４２０号）　　　　　　　のマイクロフィルム
　甲第５号証：実願昭６０−１５５８３９号（実開昭６２−６３６１８号）　　　　　　　のマイクロフィルム
　　
４．本件発明
　本件特許の請求項１乃至７に係る発明（以下、「本件発明１乃至７」という。）は、訂正明細書の特許請求の範囲の請求項１乃至７に記載された事項により特定される次のとおりのものと認める。
「【請求項１】
　前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、この熱交換器に被空調室の熱交換空気を導き、熱交換させて再び被空調室へ送風する室内送風機とを具備した空気調和機の室内ユニットにおいて、
　上記熱交換器側面部から少なくとも２本の補助配管が突出され、
　上記室内送風機は、上記前側熱交換器および後側熱交換器が傘状となって覆う位置で、これら熱交換器と相対向して配置される送風ファンおよびこれら熱交換器の一側部から突出し上記送風ファンとの隙間を短縮した位置に配置されるファンモータとからなり、
　上記補助配管は、上記ファンモータの上部側に形成されるスペースを介して、ファンモータ周面と上記後板の板面との隙間を挿通して配管されることを特徴とする空気調和機の室内ユニット。
　　
【請求項２】
　上記後板は、その角部に熱交換器の組み込み時に、上記補助配管端部を後板表側から裏側へ通す切欠部が設けられ、この切欠部は、熱交換器を組み込んだあと遮蔽部材によって覆われることを特徴とする請求項１記載の空気調和機の室内ユニット。
　　
【請求項３】
　上記後板は、上記補助配管とファンモータ周面との間に介在して補助配管のファンモータへの接触を規制する規制用突部を備えたことを特徴とする請求項１または請求項２記載の空気調和機の室内ユニット。
　　
【請求項４】
　上記遮蔽部材には、補助配管とファンモータとの間に介挿され、補助配管のファンモータへの接触を規制するリブが一体に突設されることを特徴とする請求項２記載の空気調和機の室内ユニット。
　　
【請求項５】
　前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、熱交換器に被空調室の熱交換空気を導き熱交換させて再び被空調室へ送風する室内送風機とを具備した空気調和機の室内ユニットにおいて、
　上記熱交換器側面部から少なくとも２本の補助配管が突出され、
　上記室内送風機は、上記前側熱交換器および後側熱交換器が傘状となって覆う位置で、これら熱交換器と相対向して配置される送風ファンおよびこれら熱交換器の一側部から突出し上記送風ファンとの隙間を短縮した位置に配置されるファンモータとからなり、
　上記後板は、上記ファンモータの背面側に、上記補助配管挿通用の凹溝部が一体に凹陥形成され、上記補助配管は、上記ファンモータの上部側に形成されるスペースを介して上記補助配管挿通用の凹溝部を挿通して配管されることを特徴とする空気調和機の室内ユニット。
　　
【請求項６】
　上記補助配管は、個々に分割されてシールドパイプに収納されることを特徴とする請求項１または請求項５記載の空気調和機の室内ユニット。
　　
【請求項７】
　上記少なくとも２本の補助配管は、互いに後板の板面と平行に並べて配置されることを特徴とする請求項１または請求項５記載の空気調和機の室内ユニット。」
　　
５．引用刊行物
（１）刊行物１
　当審が通知した取消しの理由に引用された実公昭６２−１９８５１号公報（以下、「刊行物１」という。）には、図面とともに、以下の記載がある。
「この考案は、空気調和機の室内ユニットに関するものである。」（第１頁第１欄第２５〜２６行目）
「第１図および第２図に示されているように、この室内ユニットは、壁掛け用として形成されたフレーム本体２と、このフレーム本体２に着脱自在に被せられる前面カバー３とからなる筐体１を備えている。この場合、フレーム本体２は、共通のベースとして用いられる上フレーム４と、この上フレーム４に対して交換可能に組合せられる下フレーム５とから構成されていて、」（第１頁第２欄第２２行目〜第２頁第３欄第２行目）
「第３図と第４図とに詳しく示されているように、フレーム本体２は、送風機（クロスフローファン）６の取付部分を境にして分割されており、上フレーム４には、熱交換器７に関連する空気通路室１０を形成するための左右１対の側板８，８と、第３図想像線で示す電装品箱９を収納するための制御室１１とが設けられており、」（第２頁第３欄第６〜１２行目）
「一方、下フレーム５は、上記した空気通路室１０に含まれる送風機取付部分１５と、その下方に連設された空気吹出口１６と、送風機６を駆動する図示しないモータを収納するモータ収納室１７とを有している。なお、このモータ収納室１７は上記した制御室１１の下方に位置している。」（第２頁第３欄第２０〜２６行目）
「送風機６は、下フレーム５に一体成形されている軸受板２０と、別部品として構成されている保持メンバー２１とにより、図示しないモータに連結された状態において上記送風機取付部分１５に回転可能に装着される。上記保持メンバー２１は、図示しないモータの出力軸と送風機６の回転軸の連結部分を下フレーム５との間で軸支するように形成された第１の保持板２１ａと、モータの後方部分を押えるように形成された第２の保持板２１ｂとを含み」（第２頁第３欄第３７行目〜同第４欄第２行目）
「このフレーム本体２は上フレーム４と下フレーム５とから組立てられるが、この考案においては、その組立時に熱交換器７に接続される配管３８を金具等を用いることなく筐体１に固定できる構造を備えている。すなわち第９図にその概略が示されているように、下フレーム５側には配管３８を筐体１の下方に引出すためのガイド溝３９が形成されており、これに対して上フレーム４側には上記ガイド溝３９と協働して配管３８を挟持するように形成された挟持板４０が設けられている。なお、この実施例においては、下フレーム５の送風機取付部分１５とモータ収納室１７との間に設けられている軸受ハウジングの頸部が上記したガイド溝３９として利用されており、一方、挟持板４０は上フレーム４側において制御室１１を形成する背壁と一体成形されている。」（第３頁第５欄第２〜１７行目）
　　
（２）刊行物２
　また、当審が通知した取消しの理由に引用された実願平２−１１０８８４号（実開平４−６８９２１号）のマイクロフィルム（以下、「刊行物２」という。）には、図面とともに以下の記載がある。
「例えば、第４図に示すような室内機が考案されているが、この室内機の場合、本機２１の前面は外観を良くするためにフラットに仕上げられており、吸込口２２は本体２１の上部に形成されている。
　この吸込口２２の下部には内面に沿わせて着脱できるエアーフィルタ２３が有り、前記吸込口２２と本体下部の吹出口２４とを結ぶ送風路２５の上部には逆Ｖ字形に形成された熱交換器２６を設け、この熱交換器２６の下部にファン２７を設置し、本体下部の吹出口２４には風向板２８を設けて室内への風向を調節するようにしている。」（第２頁第４〜１５行目）
　　
（３）刊行物３
　また、当審が通知した取消しの理由に引用された実願昭５６−７１１２号（実開昭５７−１２０９３０号）のマイクロフィルム（以下、「刊行物３」という。）には、図面とともに以下の記載がある。
「本案は空気調和機の室内ユニットに関し、熱交換器の側方空間におけるモータ、熱交換器用補助パイプ及び電装部品配設部の位置関係を考慮してユニット全体の横幅を減縮し、小型化及び軽量化を計れるようにしたものである。
　以下第１図及び第２図に示した本案の実施例について詳細に説明する。１は熱交換器、２は熱交換器用補助パイプ、３は例えば合成樹脂の成型品よりなり、周縁部に熱交換器保持部４を形設したケース主体、５は室内空気を吸込口より吸込み熱交換器１部を通過させた後再び吐出口より送出する室内空気循環用ファン（図示せず）を回転させる為のモータ、６は熱交換器１の下方に配設した露受皿である。而して、上記ケース主体３は熱交換器１の側方空間Ｓにおいて下部位置にモー夕５を配設すると共に熱交換器用補助パイプ２を上記モータ５の下方を通して背面側に導出し、さらに側方空間Ｓにおけるモータ５の上方部に電装組品等を埋設或いは収納する為の電装部品配設部７を形成している。
　本案は上記のような構成であるところ．従来では第３図及び第４図に示すように熱交換器１の側方において熱交換器用補助パイプ２をモータ５（第３図及び第４図では図示せず）の上方部を通してケース主体３の背面側に導出し、さらにケース主体３の背面に沿わせていた為、モータ５の上方部及びケース主体３の背面において補助パイプ３の配管用空間が必要となり、その結果モータ５の上方部に電装組品８を配設できず、専らモータ５のさらに外側に電装組品８を配設しており、これがユニット全体の横幅の拡大を招き、小型化及び軽量化等の妨げになっているものであった。」（第１頁第１４行目〜第３頁第５行目）
　　
（４）刊行物４
　また、当審が通知した取消しの理由に引用された特開平１−１１８０３８号公報（以下、「刊行物４」という。）には、図面とともに以下の記載がある。
「本発明は、室外ユニットと室内ユニットに分割された空気調和器において、前記室外ユニットを家屋の背面等へ略密着に近い状態で据付ける壁面据付形空気調和器に関するものである。」（第１頁右下欄第１３〜１６行目）
「次に、第１図および第３図〜第５図により室外ユニット２の要部構成について説明する。
　同図において、室外ユニット２は、基板１１と外箱１２ならびに基板１１上に周知の如く配設された冷凍サイクル構成部品、送風回路等によって構成されている。１３は前記室外ユニット２の背面１２ａ、側面１２ｂおよび底面１１ａの三面にまたがって開口された開口部で、その開口部１３には、前記三面を閉塞する閉塞面１４ａ、１４ｂ、１４ｃを具備したカバー１４が着脱可能に設けられている、」（第２頁右下欄第１２行目〜第３頁左上欄第２行目）
　　
（５）刊行物５
　また、当審が通知した取消しの理由に引用された実願平３−９８６７４号（実開平５−４７７２１号）のＣＤ−ＲＯＭ（以下、「刊行物５」という。）には、図面とともに以下の記載がある。
「本考案は空気調和機の室内機ユニットに係わり、さらに詳しくは、同室内機ユニットの空気通路内に配置されている熱交換器の補助配管を筐体の背面側で保持するための手段に関する。」（段落【０００１】）
「以下、本考案の一実施例を図１〜図４に基づいて説明する。図１は室内機ユニットの前方を、図２は同室内機ユニットの後方を表す外観斜視図である。図において、１は本体２と、この本体２に着脱自在に被せられる前面カバー３とから成る筐体で、前面カバー３の前方には上部を開閉自在に軸支した正面パネル４がある。この正面パネル４には室内空気の吸込口５があり、前面カバー３の下部には吹出口６が形成されている。吸込口５と吹出口６との間には図示はされてないが空気通路が形成されており、この空気通路内には着脱自在なエアーフィルタと、熱交換器と、送風機（クロスフローファン）とが配置され、熱交換器により熱交換された空気は送風機により吹出口６に送られ、室内への風向は吹出口６に設けられている風向板で調節されるようになっている。　
　また、図２に示す本体２の背面（ベース）７には熱交換器よりの補助配管８を背後に突出させるための開口部９が形成されている。補助配管８は予めその一側が熱交換器側に結合されていて、熱交換器が空気通路内の所定位置に配置されると開口部９の内側上部で一旦下向きになり、背面７の下部から外部に突出したあと本体２の側面に向かうよう形成されている。ところで、本考案では、この補助配管８に別途形成された配管押さえ10を前もって装着している。一方、開口部９にはその内側に前記配管押さえ10を保持するための保持溝11を設けている。以下、これらの詳細を図３および図４に基づいて説明する。
　配管押さえ10は樹脂成形品で、熱交換器12よりの冷媒配管13，14に被せた断熱チューブ15を挟持するために本体部分10ａは概略Ｕ字溝形になっており、その左右両側面には概略耳状のフランジ部10ｂ，10ｃが形成されている。一方、保持溝11は本体２の背面７に設けた開口部９の内側を囲むように形成した壁11ａと、開口部９の間口を狭める形で、同開口部９の両側から突出させた門扉状の突出壁７ａ，７ｂとから成り、この突出壁７ａ，７ｂの間口寸法は配管押さえ10の本体部分10ａの横幅よりもやや広くなっている。このような構成であれば、補助配管８を矢印の方向に移動させたとき配管押さえ10と保持溝11とが対応し、配管押さえ10は図４に示すように保持溝11に収まる。このときフランジ部10ｂ，10ｃは背面７側の突出壁７ａ，７ｂと対向するため開口面側に配管押さえ10が飛び出すようなことはなく、補助配管８は確実に保持溝11に保持される。」
（段落【０００６】〜段落【０００８】）
　　
（６）刊行物６
　また、当審が通知した取消しの理由に引用された実願昭６０−１５５８３９号（実開昭６２−６３６１８号）のマイクロフィルム（以下、「刊行物６」という。）には、図面とともに以下の記載がある。
「(ヘ)　実施例
　第１図は分離型空気調和機の室内側熱交換ユニット(1)の背面を示す斜視図である。この熱交換ユニット(1)の外装箱は、ケース(2)と、このケースに装着される前面パネル(3)とから構成されている。このケースには熱交換器（図示せず）と、クロスフローファン(4)と、このファンを駆動するモータ(5)（第２図参照）とが装着されている。(6)はケース(2)の背面を湾曲させたスクロール、(7)は電装部品の収納部、(8)はモータ(5)の冷却孔で、スクロール(6)と収納部(7)との間の窪み面(9)に形成されている。そして第２図に示すようにスクロール(6)の内面に向い合うようにクロスフローファン(4)が、窪み面(9)の内面に向い合うようにモータ(5)が夫々ケース(2)内に収納されている。(10)はモータ(5)に装着された環状の防振ゴムである。
　(11)は熱交換器から延びた冷媒配管(12)の挿通孔である。(13)はスクロール(6)の下方に形成したドレン受けで一端(14)はケース(2)の右端に、他端(15)は冷却孔(8)の側方にまで延びている。
　冷媒配管(12)は断熱材(16)でつつまれている。
　この冷媒配管(12)は挿通孔(11)から下方へ延び、その後ケース(1)の下部で右側へ曲げられて、ドレン受け(13)の下方の空間(17)に収納されている。」（第３頁第５行目〜第４頁第８行目）
　また、第２図から、２本の冷媒配管１２をケースと平行に並べて配置したことが窺える。
　　
６．対比・判断
（１）本件発明１について
　上記５．（１）の記載及び図面からみて、刊行物１には、次の発明が記載されていると認められる。
「前面カバー（３）とフレーム本体（２）とを組合わせた筐体（１）と、この筐体（１）内部に収容配置される熱交換器（７）と、この熱交換器（７）に被空調室の熱交換空気を導き、熱交換させて再び被空調室へ送風する室内送風機とを具備した空気調和機の室内ユニットにおいて、
　上記熱交換器（７）から配管（３８）が突出され、
　上記室内送風機は、熱交換器と相対向して配置される送風機（６）およびこれら熱交換器の一側部から突出した位置に配置されるモータとからなり、
　上記配管（３８）は、上記モータの出力軸と送風機（６）の回転軸の連結部分と上記フレーム本体の板面との隙間を挿通して配管されることを特徴とする空気調和機の室内ユニット。」
　　
　刊行物１の「前面カバー（３）」、「フレーム本体（２）」、「筐体（１）」、「熱交換器（７）」、「配管（３８）」、「送風機（６）」、「モータ」は、それぞれ、本件発明１における「前面パネル」、「後板」、「ユニット本体」、「熱交換器」、「補助配管」、「送風ファン」、「ファンモータ」に相当すると認められる。
　本件発明１と、刊行物１に記載された発明を対比すると、両者は、
「前面パネルと後板とを組合わせた筐体であるユニット本体と、このユニット本体内部に収容配置される熱交換器と、この熱交換器に被空調室の熱交換空気を導き、熱交換させて再び被空調室へ送風する室内送風機とを具備した空気調和機の室内ユニットにおいて、
　上記熱交換器から補助配管が突出され、
　上記室内送風機は、熱交換器と相対向して配置される送風ファンおよび熱交換器の一側部から突出した位置に配置されるファンモータとからなる空気調和機の室内ユニット」で一致し、下記の点で相違する。
　　
相違点（１−１）
　本件発明１は、熱交換器が「側面視で逆Ｖ字状に折り曲げられる、前側熱交換器と後側熱交換器との連設体」であり、送風ファンが「前側熱交換器および後側熱交換器が傘状となって覆う位置に配置される」のに対し、刊行物１のものにはそのような記載がない点。
　　
相違点（１−２）
　本件発明１は、補助配管が熱交換器側面部から少なくとも２本、突出されているのに対し、刊行物１のものには、明確にそのように記載されていない点。
　　
相違点（１−３）
　本件発明１は、「補助配管は、ファンモータの上部側に形成されるスペースを介して、ファンモータ周面と後板の板面との隙間を挿通して配管」して、送風ファンとファンモータとの隙間を短縮したのに対し、刊行物１のものは、モータの出力軸と送風機（６）の回転軸の連結部分とフレーム本体の板面との隙間を挿通して配管されている点。
　　
　以下、上記相違点（１−１）乃至（１−３）について検討する。
・相違点（１−１）について
　上記５．（２）に示されているように、刊行物２には熱交換器を逆Ｖ字形に形成し、この熱交換器の下部にファンを配置した構造が記載されている。
　刊行物１及び２は、ともに空気調和器の室内ユニットの熱交換器に関するものであるから、刊行物１の熱交換器と送風ファンにおいて、熱交換器を側面視で逆Ｖ字状に折り曲げられる、前側熱交換器と後側熱交換器との連設体とし、送風ファンが前側熱交換器および後側熱交換器が傘状となって覆う位置に配置されるように構成することは、当業者が容易に想到し得たものである。
　　
・相違点（１−２）について
　刊行物３において、特に第３図には、熱交換器側面部から、室内ユニットの補助配管を２本突出させる点が示されており、刊行物１の熱交換器の補助配管を、熱交換器側面部から少なくとも２本突出させるようにすることは、当業者が容易に想到し得たものである。
　　
・相違点（１−３）について
　上記５．（１）に示すように、刊行物１には、「すなわち第９図にその概略が示されているように、下フレーム５側には配管３８を筐体１の下方に引出すためのガイド溝３９が形成されており、これに対して上フレーム４側には上記ガイド溝３９と協働して配管３８を挟持するように形成された挟持板４０が設けられている。なお、この実施例においては、下フレーム５の送風機取付部分１５とモータ収納室１７との間に設けられている軸受ハウジングの頸部が上記したガイド溝３９として利用されており、一方、挟持板４０は上フレーム４側において制御室１１を形成する背壁と一体成形されている。」（第３頁第５欄第６〜１７行目）と記載され、配管３８を、筐体１内から外部に引き出すために、下フレーム５の送風機取付部分１５とモータ収納室１７との間に設けられている軸受ハウジングの頸部に設けたガイド溝３９と、室内ユニットの後面の上フレーム４の挟持板４０とで支持することが示されていることからみて、刊行物１の熱交換器７に接続された配管３８は、ファンモータと同軸上にある軸受ハウジングの上部側に形成されるスペースを介して、軸受ハウジングと上フレーム４の板面との隙間を挿通して配管されていると認められる。
　さらに、上記５．（３）に示すように、刊行物３には、ユニット全体の横幅を減縮するために、熱交換器用パイプ（２）をモータ（５）周面に面して、モータ（５）の下部に配管した構造が記載されている。また、ユニットの小型化は、空調機器の設計者にとって常に要求されている課題であるから、通風ファンとファンモータの間の隙間を、障害物がなければ、可能な限り短縮しようとすることは、当業者が容易になし得ることである。
　よって、熱交換器の補助配管の挿通位置を、ユニット全体の横幅を減縮するために、刊行物１のモータと送風機の連結部分の上部側を介して、その連結部分とフレーム本体の板面の間としたものから、モータ周面に面する位置に換え、ファンモータの上部側のスペースを介してファンモータ周面と後板の板面との隙間に挿通して配管し、送風ファンとファンモータとの隙間を短縮することは、当業者が容易に想到し得たものである。
　　
　なお、特許権者は、意見書において「Ｃ）すなわち、本件発明は、熱交換器の構成、送風ファンとファンモータの配置と連結構成、補助配管の取り回し構成を、後板構成との組み合わせ、などによりはじめて得られるものであって、後述するように、単に、個々の構成に関する設計思想が開示された引用例を組み合わせたとしても、容易に推考することは不可能と考えます。」と主張しているが、ユニットの小型化が常に求められる空調機器において、熱交換器から取り出した補助配管を、ユニット外に引き出す際、空いているスペースがあれば、そこを有効に利用することは、当業者であれば通常行うことであり、熱交換器を逆Ｖ字型として、ファンモータの上部のスペースが空いていれば、そこを活用しようとすることは、容易に成し得るものであると認められる。
　　
　さらに、本件発明１が奏する作用、効果は、刊行物１乃至３の記載から容易に予測できたものである。
　したがって、本件発明１は、刊行物１乃至３に記載された発明に基づいて、当業者が容易に想到し得たものである。
　　
（２）本件発明２について
　本件発明２と、刊行物１に記載された発明を対比すると、上記相違点（１−１）乃至（１−３）で相違するとともに、下記の相違点（２）で相違する。
　　
相違点（２）
　本件発明２は、「後板は、その角部に熱交換器の組み込み時に、上記補助配管端部を後板表側から裏側へ通す切欠部が設けられ、この切欠部は、熱交換器を組み込んだあと遮蔽部材によって覆われる」のに対し、刊行物１にはそのような記載がない点。
　　
　相違点（１−１）乃至（１−３）については、上記「６．（１）本件発明１について」で検討したとおりである。
　以下、上記相違点（２）について検討する。
　上記５．（１）に示すように、刊行物１には、ユニットの筐体を構成するフレーム本体（２）の下フレーム（５）にガイド溝（３９）を形成し、このガイド溝から配管（３８）を筐体（１）内から筐体外に引き出すようにした構造が記載されている。また、配管の設置作業を容易にするために、その作業の妨げとなる部位を必要に応じて切り欠いて除去することは、当業者が容易に想到し得る事項である。
　さらに、上記５．（４）に示すように、刊行物４には、室外ユニットと室内ユニットを結ぶ配管の接続作業のために、室外ユニットの背面下部に設けた開口部（１３）を設け、作業終了後、この開口部をカバー（１４）により遮蔽したことが記載されている。
　刊行物１及び４は、ともに空気調和器のユニットに関するものであるから、補助配管の筐体内から筐体外への引き出し部を、配管作業の妨げにならないようにするために、後板の角部を切り欠き、配管作業後、その切り欠きを遮蔽するようにすることは、当業者が容易に想到し得たものである。
　　
　さらに、本件発明２が奏する作用、効果は、刊行物１乃至４の記載から容易に予測できたものである。
　したがって、本件発明２は、刊行物１乃至４に記載された発明に基づいて、当業者が容易に想到し得たものである。
　　
（３）本件発明３について
　本件発明３と、刊行物１に記載された発明を対比すると、上記相違点（１−１）乃至（２）で相違するとともに、下記の相違点（３）で相違する。　
　　
相違点（３）
　本件発明３が、「後板は、上記補助配管とファンモータ周面との間に介在して補助配管のファンモータへの接触を規制する規制用突部を備えた」のに対し、刊行物１にはそのような記載がない点。
　　
　相違点（１−１）乃至（２）については、上記「６．（１）本件発明１について」及び「６．（２）本件発明２について」で検討したとおりである。
　以下、上記相違点（３）について検討する。
　上記５．（５）に示すように、刊行物５には、補助配管（８）の保持のために、背面（７）に突出壁（７ａ）（７ｂ）を設けた構造が記載されているが、この突出壁（７ａ）（７ｂ）は、ファンモータ周面と補助配管の間に設けられたものではなく、ファンモータと補助配管の接触を規制するものではない。
　また、特許異議申立人は、甲第２号証に「Ｊ´．上記後板３は、上記送風ファン１１Ｂとファンモータ１１Ａとの間の背面側に、上記補助配管挿通用の凹溝部２６が一体に凹陥形成された空気調和器の室内ユニット」が開示され、補助配管のファンモータへの接触を規制する手段として、凹溝部のような壁面とするか、突起とするかは単なる設計事項である旨主張している。
　しかし、甲第２号証に示された、株式会社富士通ゼネラル・９４年製・ルームエアコン（型式　ＡＳ２５ＷＰＲ−Ｗ）の証拠写真の、特に「前面パネル、電装品箱及び熱交換器を取り外した室内ユニットの上面拡大図」からは、「２６」と特許異議申立人が表記した凹陥部２６が、同じく「１１Ａ」と表記されたファン１１Ａと、「１１Ｂ」と表記されたファンモータ１１Ｂの出力軸の連結部に面して形成されているように窺え、ファンモータ周面に凹陥部が設けられたものとは認められない。
　よって、甲第２号証に示されたルームエアコンは、補助配管とファンモータ周面との接触を規制する部材を、補助配管とファンモータ周面の間に介在させる構造を有しておらず、また、補助配管とファンモータ周面との接触を規制する部材の形状を、凹溝部のような壁面とするか、突起とするかが単なる設計事項であるとも認められない。
　さらに、上記相違点（３）に係る構成が、他の甲第３号証乃至甲５号証にも記載されているとは認められない。
　　
　したがって、本件発明３は、刊行物１乃至５並びに甲第２号証乃至甲第５号証に記載された発明に基づいて、当業者が容易に発明することができたものとは認められない。
　　
（４）本件発明４について
  本件発明４と、刊行物１に記載された発明を対比すると、上記相違点（１−１）乃至（２）で相違するとともに、下記の相違点（４）で相違する。
　　
相違点（４）
　本件発明４は、「上記遮蔽部材には、補助配管とファンモータとの間に介挿され、補助配管のファンモータへの接触を規制するリブが一体に突設される」のに対し、刊行物１のものには、そのような記載がない点。
　　
　相違点（１−１）乃至（２）については、上記「６．（１）本件発明１について」及び「６．（２）本件発明２について」で検討したとおりである。
　以下、上記相違点（４）について検討する。
  特許異議申立人は、甲第３号証に「後板は、その角部に切欠部が設けられ、この切欠部は、遮蔽部材によって覆われる」ことが、甲第２号証に「補助配管のファンモータへの接触を規制するリブ」を設けることが開示されている旨主張している。
　しかし、甲第２、３号証には、後板の角部に設けた切欠部を覆う遮蔽部材と、補助配管とファンモータの接触を規制するリブを、一体に設けることについては示されておらず、また、他の甲第１，４，５号証にも記載されているとは認められない。
　　
  したがって、本件発明４は、刊行物１並びに甲第１号証乃至甲第５号証に記載された発明に基づいて、当業者が容易に発明することができたものとは認められない。
　　
（５）本件発明５について
　上記５．（１）の記載及び図面からみて、刊行物１には、次の発明が記載されていると認められる。
「前面カバー（３）とフレーム本体（２）とを組合わせた筐体（１）と、この筐体（１）内部に収容配置される熱交換器（７）と、この熱交換器（７）に被空調室の熱交換空気を導き、熱交換させて再び被空調室へ送風する室内送風機とを具備した空気調和機の室内ユニットにおいて、
　上記熱交換器（７）から配管（３８）が突出され、
　上記室内送風機は、熱交換器と相対向して配置される送風機（６）およびこれら熱交換器の一側部から突出した位置に配置されるモータとからなる空気調和機の室内ユニット。」
　　
　刊行物１の「前面カバー（３）」、「フレーム本体（２）」、「筐体（１）」、「熱交換器（７）」、「配管（３８）」、「送風機（６）」、「モータ」は、それぞれ、本件発明５における「前面パネル」、「後板」、「ユニット本体」、「熱交換器」、「補助配管」、「送風ファン」、「ファンモータ」に相当すると認められる。
　本件発明５と、刊行物１に記載された発明を対比すると、両者は、
「前面パネルと後板とを組合わせた筐体であるユニット本体と、このユニット本体内部に収容配置される熱交換器と、この熱交換器に被空調室の熱交換空気を導き、熱交換させて再び被空調室へ送風する室内送風機とを具備した空気調和機の室内ユニットにおいて、
　上記熱交換器から補助配管が突出され、
　上記室内送風機は、熱交換器と相対向して配置される送風ファンおよび熱交換器の一側部から突出した位置に配置されるファンモータとからなる空気調和機の室内ユニット」で一致し、下記の点で相違する。
　　
相違点（５−１）
　本件発明５は、熱交換器が「側面視で逆Ｖ字状に折り曲げられる、前側熱交換器と後側熱交換器との連設体」であり、送風ファンが「前側熱交換器および後側熱交換器が傘状となって覆う位置に配置される」のに対し、刊行物１のものにはそのような記載がない点。
　　
相違点（５−２）について
　本件発明５は、補助配管が熱交換器側面部から少なくとも２本、突出されているのに対し、刊行物１のものには、明確にそのように記載されていない点。
　　
相違点（５−３）
　本件発明５は、「後板は、ファンモータの背面側に、補助配管挿通用の凹溝部が一体に凹陥形成され、補助配管は、ファンモータの上部側に形成されるスペースを介して上記補助配管挿通用の凹溝部を挿通して配管」して、送風ファンとファンモータとの隙間を短縮したのに対し、刊行物１のものにはそのような記載がない点。
　　
　以下、上記相違点（５−１）乃至（５−３）について検討する。
・相違点（５−１）について
　上記５．（２）に示されているように、刊行物２には熱交換器を逆Ｖ字形に形成し、この熱交換器の下部にファンを配置した構造が記載されている。
　刊行物１及び２は、ともに空気調和器の室内ユニットの熱交換器に関するものであるから、刊行物１の熱交換器と送風ファンにおいて、熱交換器が側面視で逆Ｖ字状に折り曲げられる、前側熱交換器と後側熱交換器との連設体とし、送風ファンが前側熱交換器および後側熱交換器が傘状となって覆う位置に配置されるように構成することは、当業者が容易に想到し得たものである。
　　
・相違点（５−２）について
　刊行物３において、特に第３図には、熱交換器側面部から、室内ユニットの補助配管を２本突出させる点が示されており、刊行物１の熱交換器の補助配管を、熱交換器側面部から少なくとも２本突出させるようにすることは、当業者が容易に想到し得たものである。
　　
・相違点（５−３）について
　上記「相違点（１−３）について」で検討したように、刊行物１の配管は、ファンモータと同軸上にある軸受ハウジングの上部側に形成されるスペースを介して、室内ユニット外に引き出されているものと認められ、また、上記５．（３）に示されているように、刊行物３には、ユニット全体の横幅を減縮するために、熱交換器用パイプ（２）をモータ（５）周面に面して、モータ（５）の下部に配管した構造が記載されている。
　さらに、上記５．（５）に記載されているように、刊行物５には、補助配管（８）を配置する保持溝（１１）を背面（７）に一体形成し、その保持溝内に補助配管を挿通させ補助配管を室内ユニット内から引き出す構造が記載されている。        
　室内ユニットの設計をする際、ユニットの小型化は、空調機器の設計者にとって常に要求されている課題であり、通風ファンとファンモータの間の隙間を、障害物がなければ、可能な限り短縮しようと試みること、及び、補助配管のユニット内の配置で、室内ユニット内の空きスペースを見つけて利用しようとすることは、当業者が容易になし得ることであるから、ユニット全体の横幅を減縮するために、凹溝部を後板のファンモータ周面に面する位置に設け、補助配管をファンモータの上部側に形成されるスペースを介して凹溝部を挿通することは、当業者が容易に想到し得たものである。
　　
  さらに、本件発明５が奏する作用、効果は、刊行物１乃至３、５の記載から容易に予測できたものである。
　したがって、本件発明５は、刊行物１乃至３、５に記載された発明に基づいて、当業者が容易に想到し得たものである。
　　
（６）本件発明６について
　本件発明６と、刊行物１に記載された発明を対比すると、上記相違点（１−１）乃至（１−３）、相違点（５−１）乃至（５−３）で相違するとともに、下記の相違点（６）で相違する。
　　
相違点（６）
　本件発明６は、「補助配管は、個々に分割されてシールドパイプに収納される」のに対し、刊行物１には明確にそのような記載がない点。
　　
　相違点（１−１）乃至（１−３）、相違点（５−１）乃至（５−３）については、上記「６．（１）本件発明１について」、「６．（５）本件発明５について」で検討したとおりである。
　以下、上記相違点（６）について検討する。
　刊行物６には、上記５．（６）に示した記載及び第２図からみて、２本の冷媒配管を断熱材で包んだ構造が記載されている。
　刊行物１及び６は、ともに空気調和器の室内ユニットに関するものであるから、補助配管を個々に分割してシールドパイプに収納することは、当業者が容易に想到し得たものである。
　　
　さらに、本件発明６が奏する作用、効果は、刊行物１乃至３，５，６の記載から容易に予測できたものである。
　したがって、本件発明６は、刊行物１乃至３，５，６に記載された発明に基づいて、当業者が容易に想到し得たものである。
　　
（７）本件発明７について
　本件発明７と、刊行物１に記載された発明を対比すると、上記相違点（１−１）乃至（１−３）、相違点（５−１）乃至（５−３）で相違するとともに、下記の相違点（７）で相違する。
　　
相違点（７）
　本件発明７は、「少なくとも２本の補助配管は、互いに後板の板面と平行に並べて配置される」のに対し、刊行物１にはそのような記載がない点。
　　
  相違点（１−１）乃至（１−３）、相違点（５−１）乃至（６）については、上記「６．（１）本件発明１について」、「６．（５）本件発明５について」で検討したとおりである。
　以下、上記相違点（７）について検討する。
　刊行物６には、上記５．（６）に示した記載及び第２図からみて、２本の冷媒配管をケースと平行に並べて配置した構造が記載されている。
  刊行物１及び６は、ともに空気調和器の室内ユニットに関するものであるから、少なくとも２本の補助配管を、後板の板面と平行に並べて配置することは、当業者が容易に想到し得たものである。
　　
　さらに、本件発明７が奏する作用、効果は、刊行物１乃至３，５，６の記載から容易に予測できたものである。
　したがって、本件発明７は、刊行物１乃至３，５，６に記載された発明に基づいて、当業者が容易に想到し得たものである。　
　　
７．むすび
　以上のとおりであるから、本件発明１，２，５乃至７は、特許法第２９条第２項の規定により、特許を受けることができない。
　したがって、本件発明１，２，５乃至７についての特許は、拒絶の査定をしなければならない特許出願に対してされたものと認める。
　また、本件発明３，４についての特許は、特許異議の申立ての理由によっては取り消すことはできない。
　さらに、他に本件発明３，４についての特許を取り消すべき理由を発見しない。
　したがって、本件発明３，４についての特許は、拒絶の査定をしなければならない特許出願にされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１２月３日（２００１．１２．３）
【訂正の要旨】
（ア）訂正事項１
　特許請求の範囲請求項１の、
「【請求項１】
　前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、この熱交換器に被空調室の熱交換空気を導き、熱交換させて再び被空調室へ送風する室内送風機とを具備した空気調和機の室内ユニットにおいて、
　上記熱交換器側面部から少なくとも２本の補助配管が突出され、
　上記室内送風機は、上記前側熱交換器および後側熱交換器が傘状となって覆う位置に配置される送風ファンおよびこれら熱交換器の一側部から突出した位置に配置されるファンモータとからなり、
　上記補助配管は、上記ファンモータ周面と上記後板の板面との隙間を挿通して配管されることを特徴とする空気調和機の室内ユニット。」を、
「【請求項１】
　前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、この熱交換器に被空調室の熱交換空気を導き、熱交換させて再び被空調室へ送風する室内送風機とを具備した空気調和機の室内ユニットにおいて、
　上記熱交換器側面部から少なくとも２本の補助配管が突出され、
　上記室内送風機は、上記前側熱交換器および後側熱交換器が傘状となって覆う位置で、これら熱交換器と相対向して配置される送風ファンおよびこれら熱交換器の一側部から突出し上記送風ファンとの隙間を短縮した位置に配置されるファンモータとからなり、
　上記補助配管は、上記ファンモータの上部側に形成されるスペースを介して、ファンモータ周面と上記後板の板面との隙間を挿通して配管されることを特徴とする空気調和機の室内ユニット。」と訂正する。
（イ）訂正事項２
　特許請求の範囲請求項３の、
「【請求項３】
　上記後板は、上記補助配管とファンモータ周面との間に介在して補助配管のファンモータへの接触を規制する規制用突部を備えたことを特徴とする請求項１および請求項２記載の空気調和機の室内ユニット。」を、
「【請求項３】
　上記後板は、上記補助配管とファンモータ周面との間に介在して補助配管のファンモータへの接触を規制する規制用突部を備えたことを特徴とする請求項１または請求項２記載の空気調和機の室内ユニット。」と訂正する。
（ウ）訂正事項３
　特許請求の範囲請求項４の、
「【請求項４】
　上記遮蔽部材には、補助配管とファンモータとの間に介挿され、補助配管のファンモータへの接触を規制するリブが一体に突設されることを特徴とする請求項１および請求項２記載の空気調和機の室内ユニット。」を、
「【請求項４】
　上記遮蔽部材には、補助配管とファンモータとの間に介挿され、補助配管のファンモータへの接触を規制するリブが一体に突設されることを特徴とする請求項２記載の空気調和機の室内ユニット。」と訂正する。
（エ）訂正事項４
　特許請求の範囲請求項５の、
「【請求項５】
　前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、熱交換器に被空調室の熱交換空気を導き熱交換させて再び被空調室へ送風する室内送風機とを具備した空気調和機の室内ユニットにおいて、
　上記熱交換器側面部から少なくとも２本の補助配管が突出され、
　上記室内送風機は、上記前側熱交換器および後側熱交換器が傘状となって覆う位置に配置される送風ファンおよびこれら熱交換器の一側部から突出した位置に配置されるファンモータとからなり、
　上記後板は、上記ファンモータの背面側に、上記補助配管挿通用の凹溝部が一体に凹陥形成されることを特徴とする空気調和機の室内ユニット。」を、
「【請求項５】
　前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、熱交換器に被空調室の熱交換空気を導き熱交換させて再び被空調室へ送風する室内送風機とを具備した空気調和機の室内ユニットにおいて、
　上記熱交換器側面部から少なくとも２本の補助配管が突出され、
　上記室内送風機は、上記前側熱交換器および後側熱交換器が傘状となって覆う位置で、これら熱交換器と相対向して配置される送風ファンおよびこれら熱交換器の一側部から突出し上記送風ファンとの隙間を短縮した位置に配置されるファンモータとからなり、
　上記後板は、上記ファンモータの背面側に、上記補助配管挿通用の凹溝部が一体に凹陥形成され、上記補助配管は、上記ファンモータの上部側に形成されるスペースを介して上記補助配管挿通用の凹溝部を挿通して配管されることを特徴とする空気調和機の室内ユニット。」と訂正する。
（オ）訂正事項５
　特許請求の範囲請求項６の、
「【請求項６】
　上記補助配管は、個々に分割されてシールドパイプに収納されることを特徴とする請求項１および請求項５記載の空気調和機の室内ユニット。」を、
「【請求項６】
　上記補助配管は、個々に分割されてシールドパイプに収納されることを特徴とする請求項１または請求項５記載の空気調和機の室内ユニット。」と訂正する。
（カ）訂正事項６
　特許請求の範囲請求項７の、
「【請求項７】
　上記少なくとも２本の補助配管は、互いに後板の板面と平行に並べて配置されることを特徴とする請求項１、請求項５および請求項６記載の空気調和機の室内ユニット。」を、
「【請求項７】
　上記少なくとも２本の補助配管は、互いに後板の板面と平行に並べて配置されることを特徴とする請求項１または請求項５記載の空気調和機の室内ユニット。」と訂正する。
（キ）訂正事項７
　願書に添付した明細書の段落【０００９】中の、
「そのため、ファモータンおよび横流ファン周面と後板との間に、補助配管を挿通するスペースがない。」を、
「そのため、ファンモータおよび横流ファン周面と後板との間に、補助配管を挿通するスペースがない。」と訂正する。
（ク）訂正事項８
　願書に添付した明細書の段落【００１６】乃至【００２１】の、
「【００１６】
　【課題を解決するための手段】
　上記目的を満足するため、第１の発明の空気調和機の室内ユニットは、請求項１として、前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、この熱交換器に被空調室の熱交換空気を導き、熱交換させて再び被空調室へ送風する室内送風機とを具備した空気調和機の室内ユニットにおいて、上記熱交換器の側面部から少なくとも２本の補助配管が突出され、上記室内送風機は、上記前側熱交換器および後側熱交換器が傘状となって覆う位置に配置される送風ファンおよびこれら熱交換器の一側部から突出した位置に配置されるファンモータとからなり、上記補助配管は、上記ファンモータ周面と上記後板の板面との隙間を挿通して配管されることを特徴とする。
　【００１７】
　請求項２として、請求項１記載の上記後板は、その角部に熱交換器の組み込み時に補助配管端部を後板表側から裏側へ通す切欠部が設けられ、この切欠部は、熱交換器を組み込んだあと遮蔽部材によって覆われることを特徴とする。
　【００１８】
　請求項３として、請求項１および請求項２記載の上記後板は、上記補助配管とファンモータ周面との間に介在して補助配管のファンモータへの接触を規制する規制用突部を備えたことを特徴とする。
　【００１９】
　請求項４として、請求項１および請求項２記載の上記遮蔽部材には、補助配管とファンモータとの間に介挿され、補助配管のファンモータへの接触を規制するリブが一体に突設されることを特徴とする。
　【００２０】
　上記目的を満足するため、第２の発明の空気調和機の室内ユニットは、請求項５として、前面パネルと後板とを組合わせた筐体であるユニット本体と、このユニット本体内部に収容配置され、側面視で逆Ｖ字状に折り曲げられる、上側熱交換器と後側熱交換器との連設体である熱交換器と、熱交換器に被空調室の熱交換空気を導き熱交換させて再び被空調室へ送風する室内送風機とを具備した空気調和機の室内ユニットにおいて、上記熱交換器の側面部から少なくとも２本の補助配管が突出され、上記室内送風機は、上記前側熱交換器および後側熱交換器が傘状となって覆う位置に配置される送風ファンおよびこれら熱交換器の一側部から突出した位置に配置されるファンモータとからなり、上記後板は、上記ファンモータの背面側に、上記補助配管挿通用の凹溝部が一体に凹陥形成されることを特徴とする。
　【００２１】
　請求項６として、請求項１および請求項５記載の上記補助配管は、個々に分割されてシールドパイプに収納されることを特徴とする。請求項７として、請求項１、請求項５および請求項６記載の少なくとも２本の補助配管は、互いに後板の板面と平行に並べて配置されることを特徴とする。」を、
「【００１６】
　【課題を解決するための手段】
　上記目的を満足するため、第１の発明の空気調和機の室内ユニットは、請求項１として、前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、この熱交換器に被空調室の熱交換空気を導き、熱交換させて再び被空調室へ送風する室内送風機とを具備した空気調和機の室内ユニットにおいて、上記熱交換器の側面部から少なくとも２本の補助配管が突出され、上記室内送風機は、上記前側熱交換器および後側熱交換器が傘状となって覆う位置で、これら熱交換器と相対向して配置される送風ファンおよびこれら熱交換器の一側部から突出した位置に配置されるファンモータとからなり、上記補助配管は、上記ファンモータの上部側に形成されるスペースを介して、ファンモータ周面と上記後板の板面との隙間を挿通して配管されることを特徴とする。
　【００１７】
　請求項２として、請求項１記載の上記後板は、その角部に熱交換器の組み込み時に補助配管端部を後板表側から裏側へ通す切欠部が設けられ、この切欠部は、熱交換器を組み込んだあと遮蔽部材によって覆われることを特徴とする。
　【００１８】
　請求項３として、請求項１または請求項２記載の上記後板は、上記補助配管とファンモータ周面との間に介在して補助配管のファンモータへの接触を規制する規制用突部を備えたことを特徴とする。
　【００１９】
　請求項４として、請求項２記載の上記遮蔽部材には、補助配管とファンモータとの間に介挿され、補助配管のファンモータへの接触を規制するリブが一体に突設されることを特徴とする。
　【００２０】
　上記目的を満足するため、第２の発明の空気調和機の室内ユニットは、請求項５として、前面パネルと後板とを組合わせた筐体であるユニット本体と、このユニット本体内部に収容配置され、側面視で逆Ｖ字状に折り曲げられる、上側熱交換器と後側熱交換器との連設体である熱交換器と、熱交換器に被空調室の熱交換空気を導き熱交換させて再び被空調室へ送風する室内送風機とを具備した空気調和機の室内ユニットにおいて、上記熱交換器の側面部から少なくとも２本の補助配管が突出され、上記室内送風機は、上記前側熱交換器および後側熱交換器が傘状となって覆う位置で、これら熱交換器と相対向して配置される送風ファンおよびこれら熱交換器の一側部から突出し上記送風ファンとの隙間を短縮した位置に配置されるファンモータとからなり、上記後板は、上記ファンモータの背面側に、上記補助配管挿通用の凹溝部が一体に凹陥形成され、上記補助配管は、上記ファンモータの上部側に形成されるスペースを介して上記補助配管挿通用の凹溝部を挿通して配管されることを特徴とする。
　【００２１】
　請求項６として、請求項１または請求項５記載の上記補助配管は、個々に分割されてシールドパイプに収納されることを特徴とする。請求項７として、請求項１または請求項５記載の少なくとも２本の補助配管は、互いに後板の板面と平行に並べて配置されることを特徴とする。」と訂正する。
（５４）【発明の名称】
空気調和機の室内ユニット
（５７）【特許請求の範囲】
　【請求項１】前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、この熱交換器に被空調室の熱交換空気を導き、熱交換させて再び被空調室へ送風する室内送風機とを具備した空気調和機の室内ユニットにおいて、
上記熱交換器側面部から少なくとも２本の補助配管が突出され、
上記室内送風機は、上記前側熱交換器および後側熱交換器が傘状となって覆う位置
で、これら熱交換器と相対向して
上記送風ファンとの隙間を短縮し
上記補助配管は、上記ファンモータ
の上部側に形成されるスペースを介して、ファンモータ
　【請求項２】上記後板は、その角部に熱交換器の組み込み時に、上記補助配管端部を後板表側から裏側へ通す切欠部が設けられ、この切欠部は、熱交換器を組み込んだあと遮蔽部材によって覆われることを特徴とする請求項１記載の空気調和機の室内ユニット。
　【請求項３】上記後板は、上記補助配管とファンモータ周面との間に介在して補助配管のファンモータへの接触を規制する規制用突部を備えたことを特徴とする請求項１
または
　【請求項４】上記遮蔽部材には、補助配管とファンモータとの間に介挿され、補助配管のファンモータへの接触を規制するリブが一体に突設されることを特徴とする
請求項２記載
　【請求項５】前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、熱交換器に被空調室の熱交換空気を導き熱交換させて再び被空調室へ送風する室内送風機とを具備した空気調和機の室内ユニットにおいて、
上記熱交換器側面部から少なくとも２本の補助配管が突出され、
上記室内送風機は、上記前側熱交換器および後側熱交換器が傘状となって覆う位置
で、これら熱交換器と相対向して
上記送風ファンとの隙間を短縮し
上記後板は、上記ファンモータの背面側に、上記補助配管挿通用の凹溝部が一体に凹陥形成され
、
上記補助配管は、上記ファンモータの上部側に形成されるスペースを介して上記補助配管挿通用の凹溝部を挿通して配管され
　【請求項６】上記補助配管は、個々に分割されてシールドパイプに収納されることを特徴とする請求項１
または
　【請求項７】上記少なくとも２本の補助配管は、互いに後板の板面と平行に並べて配置されることを特徴とする請求項１
または
【発明の詳細な説明】
　【０００１】
　【産業上の利用分野】本発明は、空気調和機を構成する室内ユニットに係り、特に、逆Ｖ字状熱交換器から延出される補助配管の配管構造の改良に関する。
　【０００２】
　【従来の技術】一般的に用いられる空気調和機は、被空調室に配置される室内ユニットと、屋外に配置される室外ユニットからなり、これらユニット相互を冷媒管および電気配線で接続してなる。
　【０００３】ユーザ側からは、これらユニットに対する小形化と、据付スペース低減の要望が大であり、各メーカにおいては、このような条件を満足しつつ、熱交換能力の増大を図らなければならない。
　【０００４】特に室内ユニットにおいては、従来、平板状の熱交換器をある角度傾斜して配置したり、側面視で、くの字状に折り曲げた熱交換器を備えて、ユニット本体の高さ寸法の低減化に努めてきた。
　【０００５】いずれタイプの熱交換器においても、多数枚のフィンが互いに狭小の間隙を存して並設され、これらフィンに熱交換パイプが貫通されるフィンドチューブタイプである。
　【０００６】そして、熱交換器の側面部から少なくとも２本の補助配管が突出され、ユニット本体外部の位置で、室外ユニットから延出される冷媒配管に接続するようになっている。
　【０００７】
　【発明が解決しようとする課題】問題は、ユニット本体内における熱交換器から突出される補助配管の配置構造にある。上記ユニット本体は、前面パネルと後板との組合わせによる筐体である。このユニット本体内には、上記熱交換器のほかに、被空調室内の空気を吸込んで熱交換器と熱交換させ、再び被空調室へ送風する室内送風機が配置されている。
　【０００８】この室内送風機は、ファンモータと、このファンモータの回転軸に連結される断面円形の送風ファンである、横流ファンとからなる。横流ファンは、熱交換器の長手方向（左右幅方向）寸法と同一の長手方向（軸方向）寸法を有し、かつ熱交換器の背面側に相対向して配置される。したがって、ファンモータは、熱交換器側面から突出した位置に配置される。
　【０００９】いずれにしろ、室内送風機であるファンモータと横流ファンのごく近接した位置にユニット本体を構成する後板があって、ユニット本体の薄形化が図られている。そのため、
ファンモータ
　【００１０】そこで、熱交換器側面部から突出する補助配管をユニット本体外部へ取り出すため、ファンモータと横流ファンとの間の距離を充分にとり、この間のスペースに補助配管を挿通することで解決が図られている。
　【００１１】このようにして、ユニット本体内における補助配管の挿通スペースが確保されているが、反面、ファンモータと横流ファンとで構成される室内送風機の長手方向寸法が長くなってしまい、ユニット本体の横幅寸法低減化が得られない。
　【００１２】あくまでユニット本体の横幅寸法の抑制を図るとすると、熱交換器および横流ファンの横幅寸法を削減して、補助配管の挿通スペースを確保しなければならなくなり、熱交換能力の低減につながる。
　【００１３】また、近時、側面視で逆Ｖ字状に形成される熱交換器を備え、熱交換器容量を増大して熱交換能力の増大化を図り、風速分布の均一化による送風騒音の低減を図る空気調和機の室内ユニットが開発されている。
　【００１４】この種の熱交換器においても、側面部から少なくとも２本の補助配管が突設されており、ユニット本体内における配置スペースに新たな配慮を払わなければならない。
　【００１５】本発明は、上記事情に着目してなされたものであり、その目的とするところは、側面視で逆Ｖ字状に形成される熱交換器を備え、ここから突出される補助配管のユニット本体内における引き回し処理を容易なものにするとともに、ユニット本体の横幅寸法を低減して小型化を得る空気調和機の室内ユニットを提供しようとするものである。
　【００１６】
　【課題を解決するための手段】上記目的を満足するため、第１の発明の空気調和機の室内ユニットは、請求項１として、前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、この熱交換器に被空調室の熱交換空気を導き、熱交換させて再び被空調室へ送風する室内送風機とを具備した空気調和機の室内ユニットにおいて、上記熱交換器の側面部から少なくとも２本の補助配管が突出され、上記室内送風機は、上記前側熱交換器および後側熱交換器が傘状となって覆う位置で
、これら熱交換器と相対向して
上記送風ファンとの隙間を短縮し
の上部側に形成されるスペースを介して、ファンモータ
　【００１７】請求項２として、請求項１記載の上記後板は、その角部に熱交換器の組み込み時に補助配管端部を後板表側から裏側へ通す切欠部が設けられ、この切欠部は、熱交換器を組み込んだあと遮蔽部材によって覆われることを特徴とする。
　【００１８】請求項３として、請求項１
または
　【００１９】請求項４として、
請求項２記載
　【００２０】上記目的を満足するため、第２の発明の空気調和機の室内ユニットは、請求項５として、前面パネルと後板とを組合わせた筐体であるユニット本体と、このユニット本体内部に収容配置され、側面視で逆Ｖ字状に折り曲げられる、前側熱交換器と後側熱交換器との連設体である熱交換器と、熱交換器に被空調室の熱交換空気を導き熱交換させて再び被空調室へ送風する室内送風機とを具備した空気調和機の室内ユニットにおいて、上記熱交換器側面部から少なくとも２本の補助配管が突出され、上記室内送風機は、上記前側熱交換器および後側熱交換器が傘状となって覆う位置
で、これら熱交換器と相対向して
上記送風ファンとの隙間を短縮し
、上記補助配管は、上記ファンモータの上部側に形成されるスペースを介して上記補助配管挿通用の凹溝部を挿通して配管され
　【００２１】請求項６として、請求項１
または
または
　【００２２】
　【作用】請求項１の発明では、前側熱交換器と後側熱交換器のほぼ中間部に室内送風機が配置され、ファンモータと後板との間にある程度の空間スペースが発生するので、ここに補助配管を挿通する。ファンモータと横流ファンとの間が短縮され、その分、送風機の長手方向およびユニット本体の横幅寸法が短縮される。
　【００２３】請求項２の発明では、ユニットの組立て作業として、後板をベルトコンベアに載せて寝かした状態のまま補助配管を切欠部に挿入しながら、補助配管を後板の裏側へ通し、熱交換器を後板に組み付けられる。
　【００２４】請求項３の発明では、補助配管が後板とファンモータとの間に通されるので、今度は補助配管がファンモータに接触する恐れがある。そこで、この補助配管とファンモータとの間に、後板に一体に設けられる規制用突部を介在させ、補助配管のファンモータへの接触を規制する。
　【００２５】請求項４の発明では、補助配管とファンモータとの間に、切欠部を遮蔽する遮蔽部材に一体に設けられるリブが介在することにより、補助配管のファンモータへの接触を規制する。
　【００２６】請求項５の発明では、ファンモータと後板との間の空間スペースに突出する凹溝部を後板に一体に備え、この凹溝部内に補助配管を通すので、室内送風機の長手方向およびユニット本体の横幅寸法が短縮される。補助配管は後板の背面側を通り、ファンモータに接触することがない。
　【００２７】請求項６の発明では、少なくとも２本ある補助配管は、個々に分割されてシールドパイプに収納されるので、まとめてシールドパイプに収納されている場合よりもスペースをとらない。
　【００２８】請求項７の発明では、少なくとも２本ある補助配管は後板の板面に平行に並べたから、従来のようにファンモータと横流ファンとの間のスペースに前後に並べて通すため無理してひねる必要がなくなる。
　【００２９】
　【実施例】以下、本発明の一実施例を、図面を参照して説明する。図１ないし図３は、請求項１、請求項２、請求項３、請求項６および請求項７を説明するのに都合がよい。
　【００３０】図１に示すように、空気調和機本体であるユニット本体１は、前面パネル２と後板３とから構成される。前面パネル２の前面側にはグリル４が嵌め込まれた前部吸込み口５ａが開口され、上面側にはグリル６が嵌め込まれた上部吸込み口５ｂが開口される。
　【００３１】ユニット本体１内には、前部吸込み口５ａと上部吸込み口５ｂの両側部に沿ってフィルタ支持具７が設けられ、このフィルタ支持具にエアーフイルタ８が着脱自在に装着される。
　【００３２】エアーフィルタ８を介して前部，上部吸込み口５ａ，５ｂと対向し、後述する熱交換器１０が配置される。この熱交換器１０に覆われるようにして、同じく後述する室内送風機１１が配置される。
　【００３３】上記熱交換器１０の前面側下部は前部ドレンパン１２に、後面側下部は後板３に一体成形された後部ドレンパン１３に挿入される。これら前部ドレンパン１２と後部ドレンパン１３は、図示しない連通路を介して連通する。
　【００３４】前部ドレンパン１２の下方には、ユニット本体１の前面側下部に開口する吹出し口１４が設けられる。上記後板３の熱交換器１０と対向する部分は、その上端部が上部吸込み口５ｂの背面側端部に連結され、後部ドレンパン１３から横流ファン１１側部を介して、最下部は吹出し口１４に亘るように延設される。
　【００３５】そして、前部ドレンパン１２下面と、横流フアン１１側部から吹出し口１４に亘る後板３一部とで、吹出し案内路１５が形成される。この吹出し案内路１５に位置するよう、前部ドレンパン１２の下面に左右方向ルーバ１６が設けられる。また、吹出し口１４部位には上下方向ルーバー１７が設けられる。
　【００３６】つぎに、上記熱交換器１０および室内送風機について詳述する。すなわち、この熱交換器１０は、逆Ｖ字状に形成される主熱交換器１０Ａと、直状で主熱交換器一部に沿って設けられる補助熱交換器１０Ｂとの組合わせ体からなる。
　【００３７】主熱交換器１０Ａは、はじめ、円弧状部と、直状部とが互いの端部を境に連結された連結体として成形される。これら円弧状部と直状部との連結部にはミシン目状の切込みが形成されていて、実際の連結部分はわずかでしかない。この連結部から直状部を所定角度に折り曲げることによって、逆Ｖ字状に形成される。
　【００３８】そして、ユニット本体１に主熱交換器１０Ａが組み込まれた状態で、円弧状部が前面側に位置するところから、この部分を前側熱交換器９Ａと呼び、これよりも後部に位置する直状部を後側熱交換器９Ｂと呼ぶ。
　【００３９】円弧状に形成される前側熱交換器９Ａは、前部吸込口５ａに対向する位置にある。前部から後部に亘って斜め下方に傾斜する後側熱交換器９Ｂは、補助熱交換器１０Ｂを介して上部吸込み口５ｂに対向する位置にある。
　【００４０】上記補助熱交換器１０Ｂは、後側熱交換器９Ｂの上部側に、これと狭小の間隙を存して平行に設けられていて、したがって上部吸込み口５ｂと直接対向し、かつ斜め後方に傾斜することになる。
　【００４１】主熱交換器１０Ａおよび補助熱交換器１０Ｂともに、互いに狭小の間隙を存して並設される多数枚の放熱フィンＦと、これら放熱フィンを貫通し、かつ拡管手段によって嵌着される熱交換パイプＰを備える、いわゆるフィンドチューブタイプである。
　【００４２】特に、補助熱交換器１０Ｂの下部および前側熱交換器９Ａの中間部の側面部からは後述する補助配管Ｐａ，Ｐｂが突設される。この補助配管Ｐａ，Ｐｂは、後述するようにしてユニット本体１内を挿通して、配管引き回しがなされ、図示しない室外ユニットから延出する冷媒管に接続される。
　【００４３】上記室内送風機１１は、図２（Ａ）を見ると理解し易い。なお同図は、上記熱交換器１０を省略して示してある。室内送風機１１は、ファンモータ１１Ａと、このファンモータ１１Ａの回転軸ａに嵌着される不等ピッチ形の横流ファン１１Ｂとから構成される。ファンモータ１１Ａと横流ファン１１Ｂは、互いにほとんど同一の直径の円形状をなす。
　【００４４】このような室内送風機１１のユニット本体１内の位置および熱交換器１０に対する位置は、図３および再び図１に示すようになる。すなわち、上記ファンモータ１１Ａは前側熱交換器９Ａおよび補助熱交換器１０Ｂに接続する補助配管側Ｐａ，Ｐｂの側方部位に配置される。上記横流ファン１１Ｂは、ファンモータ１１Ａとの隙間を可能な限り短縮した位置で、かつ熱交換器１０に相対向して配置される。
　【００４５】換言すれば、横流ファン１１Ｂを正確に熱交換器１０に対向するよう位置設定をし、ここを基準としてファンモータ１１Ａを配置することとなる。そして、横流ファン１１Ｂは円弧状に形成される前側熱交換器９Ａの背面側に近接して配置される。主熱交換器１０Ａが前側熱交換器９Ａと後側熱交換器９Ｂとで逆Ｖ字状に形成されているところから、横流ファン１１Ｂは前後側熱交換器９Ａのほぼ中間部に位置し、かつこれら熱交換器９Ａ，９Ｂによってあたかも傘状に覆われることになる。
　【００４６】そして、このような構成から、後側熱交換器９Ｂの後端と後板３とは近接して、これらの間のスペースはほとんどないのに比較して、熱交換器１０から突出するファンモータ１１Ａと後板３との間には、ある程度のスペースが確保されることになる。
　【００４７】一方、図２（Ａ）にも示すように、後板の所定位置には複数の規制用突部２０…が一体的に設けられている。これら規制用突部２０は、ファンモータ１１Ａの背面側に対向する位置で、後板３の上下方向に沿って互いに所定間隔を存している。
　【００４８】そして、後板３の板面に対して垂直に、かつ前方へ突出する片部２０ａと、この先端から後板板面と平行に折曲される片部２０ｂとからなり、平面視でＬ字状に形成される。
　【００４９】突出片部２０ａの突出高さは、上記補助配管Ｐａ，Ｐｂの直径よりもわずかに大であり、平行片部２０ｂの幅方向長さは補助配管を２本並列に並べた長さよりもある程度大である。
　【００５０】再び図１および図３に示すように、前側熱交換器９Ａの側部から突出する各補助配管Ｐａ，Ｐｂは、この熱交換器９Ａの上端部方向に斜めに傾斜して延出される。
　【００５１】補助配管Ｐａ，Ｐｂは２本とも平行に揃えられ、後板３に近接する方向に水平に延出され、２本並んだ状態のまま、シールドパイプ２１内に収納される。そして、後板の直前位置において垂直方向に垂下するよう曲成され、後板３の板面に近接し、後板に沿って下方に延出される部分は、上記規制用突部２０…に挿通される。
　【００５２】すなわち、逆Ｖ字状の熱交換器１０を備えることにより、前側熱交換器９Ａと後側熱交換器９Ｂとによって横流ファン１１Ｂが覆われるように配置される。熱交換器１０に近接して後板３を配置しても、ファンモータ１１Ａは熱交換器の側部に突出した位置に配置されているから、このファンモータ１１Ａと後板３との間にある程度のスペースが確保される。
　【００５３】このスペースを利用して、２本の補助配管Ｐａ，Ｐｂが挿通される。そして、上記スペースに対応して複数の規制用突部２０…を備え、補助配管を後板３との間に位置規制する。
　【００５４】後板３の、図において右側下角部には、切欠部２２が設けられている。上記シールドパイプ２１に収納された補助配管Ｐａ，Ｐｂは、この切欠部２２を介して後板３の前面側から後面側に引き回される。そして、この切欠部には別途備えられる遮蔽部材２３が嵌め込まれていて、切欠部空間２２を塞ぐとともに、シールドパイプ２１に収納された補助配管Ｐａ，Ｐｂを遮蔽する。
　【００５５】上記遮蔽部材２３は、図２（Ｂ）に示すようになっている。しかして、冷凍サイクル運転にともなって室内送風機１１が駆動される。ファンモータ１１Ａによって横流フアン１１Ｂが回転駆動され、前，上部吸込み口５ａ，５ｂから被空調室空気がユニット本体１内に吸込まれる。
　【００５６】熱交換空気は、前部吸込み口５ａと対向して配置される前側熱交換器９Ａを流通し熱交換をなす。同時に熱交換空気は、上部吸込み口５ｂと対向して配置される補助熱交換器１０Ｂを介して後側熱交換器９Ｂを流通し、熱交換をなす。
　【００５７】これら熱交換器９Ａ，９Ｂ，１０Ｂと熱交換した熱交換空気は、横流フアン１１から吹出し案内路１５を介して吹出し口１４から吹出され、被空調室の空気調和をなす。
　【００５８】前側熱交換器９Ａが円弧状に形成され、その曲成方向が前部から後部に亘るところから、この前側熱交換器は横流フアン１１Ｂの周面一部を囲むように曲成した状態となっている。
　【００５９】前側熱交換器９Ａの背面側側縁と横流ファン１１Ｂ面との距離が、漸次近接し、かつ漸次離間しており、その変化の差が、従来のもの（たとえば実開平４−５７０７３号公報の技術）と比較して極めて小さい。したがって、熱交換器１０における風速分布の均一化が得られ、熱交換器を通過する熱交換空気の送風騒音が低下する。
　【００６０】そして、熱交換器１０が逆Ｖ字状に形成され、かつ室内送風機１１は送風特性を考慮して前後側熱交換器９Ａのほぼ中間部に配置されることによって、ファンモータ１１Ａと後板３との間にある程度の間隙が生じる。
　【００６１】この間隙に補助配管Ｐａ，Ｐｂが収容されたシールドパイプ２１を挿通したことにより、従来のようなファンモータ１１Ａと横流ファン１１Ｂとの間に補助配管挿通用のスペースをとる必要がなくなり、その分これらモータとファンとの間を短縮できる。これはユニット本体１の幅方向の短縮となり、小型化を得られる。
　【００６２】なお、ユニット本体１の横幅寸法を従来通りに保持するならば、熱交換器１０の横幅寸法を拡大して熱容量を増大できるとともに、これに合わせて横流ファン１１Ｂの軸方向長さを長くして送風量の増大を得る。
　【００６３】上記後板３に設けられる規制用突部２０…は、補助配管Ｐａ，Ｐｂが収容されたシールドパイプ２１とファンモータ１１Ａとの間に介在する。換言すれば、ファンモータ１１Ａおよび横流ファン１１Ｂが回転駆動による振動があっても、これらと補助配管Ｐａ，Ｐｂが収容されたシールドパイプ２１との間に規制用突部２０が介在しているので、補助配管がファンモータに接触することがなく、したがって騒音発生がない。
　【００６４】補助配管Ｐａ，Ｐｂは後板３の内側を通るので、熱交換器１０を後板３に組付け配置する作業で、従来のように熱交換器と補助配管で後板を挟み込まずにすみ、作業性がよいとともに、最も強度を必要とする後板上部に切欠部を設けないところから後板３の剛性保持を得る。
　【００６５】この室内ユニットの製造工程において、後板３に室内送風機１１を取付け固定したあと、熱交換器１０を組付けるのであるが、この組付け時には後板３をベルトコンベアに載せたまま（寝かせたまま）でその作業が行える。
　【００６６】すなわち、補助配管Ｐａ，Ｐｂを切欠部２２に挿入しながら、補助配管を後板３の裏側に通すことができ、後板３を持ち上げることなく熱交換器１０を所定位置に置くことができる。
　【００６７】図４（Ａ），（Ｂ）は、請求項４を説明するのに都合がよい。ここでは、先に説明した規制用突部２０に代って、後板３の切欠部２２を遮蔽する遮蔽部材２３Ａにリブ２５を一体に備えている。他の構成部品は全て先のものと同一であるので、同番号を付して新たな説明は省略する。
　【００６８】上記リブ２５は、補助配管Ｐａ，Ｐｂとファンモータ１１Ａとの間に介在する。遮蔽部材２３Ａが後板３下部の切欠部２２に取付けられるため、ここから突設されるリブ２５は下部側から補助配管とファンモータと間に介挿される。
　【００６９】補助配管Ｐａ，Ｐｂを後板３とファンモータ１１Ａとの隙間に通すところから、補助配管がファンモータに接触し易くなるが、これらの間にリブ２０を介挿することにより、補助配管のファンモータへの接触は確実に規制される。
　【００７０】図５ないし図７（Ａ），（Ｂ）は、請求項５を説明するのに都合がよい。ただし、ここでは補助配管が後板３Ａの上部から後板３Ａの裏側に引き回されるので、切欠部に対する遮蔽部材は不要であり、かつ後述する後板３Ａを除いて、他の室内ユニットの構成部品は、先に図１ないし図３において説明したものと同一であるので、ここでは同番号を付して新たな説明は省略する。
　【００７１】上記後板３Ａは、上記ファンモータ１１Ａに対向する部位に、この上下方向に沿って凹溝部２６が一体に設けられる。この凹溝部２６は、上端部が後板３Ａ上端部よりも手前側に突出した形状であって、したがって開口している。
　【００７２】凹溝部２６の突出面は、ファンモータ１１Ａ周面と接触しない程度に近接した位置にある。この幅寸法はシールドパイプ２１内で２本の補助配管Ｐａ，Ｐｂを横に並べて収容してもなお余裕のあるよう設定される。
　【００７３】しかして、前側熱交換器９Ａ側面部から突出する２本の補助配管Ｐａ，Ｐｂは、ファンモータ１１Ａの上方部位において水平方向に折曲されシールドパイプ２１内に収容されてから、凹溝部２６の上端開口部からこの内部に挿通される。そして、補助配管Ｐａ，Ｐｂが収容されたシールドパイプ２１は凹溝部２６の外面に沿って、凹溝部内に収容された状態で延出される。
　【００７４】すなわち、従来のようにファンモータ１１Ａと横流ファン１１Ｂとの間に補助配管挿通用のスペースをとる必要がなく、その分、モータとファンとの間を短縮できる。これはユニット本体１の幅方向の短縮となり、小型化を得られる。
　【００７５】そして、ユニット本体１の横幅寸法を従来通りに保持するならば、熱交換器１０の横幅寸法を拡大して熱容量を増大でき、これに合わせて横流ファン１１Ｂの軸方向長さを長くして送風量の増大を得る。
　【００７６】補助配管Ｐａ，Ｐｂとファンモータ１１Ｂとの間に凹溝部２６が介在するので、ファンモータ１１Ｂの駆動にともなう振動があっても、補助配管Ｐａ，Ｐｂへの接触は確実に規制され、騒音発生には至らない。
　【００７７】なお上記実施例では、補助配管Ｐａ，Ｐｂをまとめてシールドパイプ２１内に収容したが、請求項６に記載のように、補助配管Ｐａ，Ｐｂをそれぞれ個々に分割してシールドパイプに収容するようにしてもよい。このように構成することによって、まとめてシールドパイプに収容するよりもスペースをとらずにすむ。
　【００７８】請求項７である補助配管Ｐａ，Ｐｂをユニット本体１の後板３，３Ａの板面に沿って平行に並べて配置した点は、図３および図７に示してある。このように構成することによって、従来のようにファンモータと横流ファンとの隙間に補助配管を挿通すべく、前後に並べる必要がなくなる。すなわち、前後に並べるには配管を無理にひねらなくてはならないが、平行に並べるには、このような無理な作業は不要となる。この他、本発明の要旨を越えない範囲内で種々の変形実施が可能なことは、勿論である。
　【００７９】
　【発明の効果】以上説明したように請求項１の発明では、逆Ｖ字状熱交換器を構成する前側熱交換器と後側熱交換器の間に室内送風機を配置し、ファンモータと後板との空間スペースに補助配管を挿通する。したがって、ファンモータと横流ファンとの間が短縮され、その分、送風機の長手方向およびユニット本体の横幅寸法が短縮され、ユニット本体の小型化を図れるとともに、最も強度を必要とする後板上部には加工が不要となって後板の剛性増大を得る。
　【００８０】ユニット本体の横幅寸法を従来通りとすると、熱交換器の熱容量を増大することができて熱交換能力の向上が得られ、併せて送風ファンの軸方向長さを長くして送風量の増大を図れる。
　【００８１】請求項２の発明では、後板に補助配管が挿通する切欠部を設け、この切欠部は補助配管挿通後に遮蔽部材で遮蔽するようにしたから、ユニットの組立て作業として、後板をベルトコンベアに載せて寝かした状態のまま熱交換器の後板への取付け作業が可能となり、作業性の向上を図れる。
　【００８２】請求項３の発明では、補助配管とファンモータとの間に、後板に一体に設けられる規制用突部を介在させたから、補助配管のファンモータへの接触を確実に規制でき、送風機の振動を補助配管が拾うことがなく、騒音発生に至らない。
　【００８３】請求項４の発明では、切欠部を遮蔽する遮蔽部材にリブを設けて、補助配管とファンモータとの間に介挿することにより、補助配管のファンモータへの接触を確実に規制でき、送風機の振動を補助配管が拾うことがなく、騒音発生に至らない。
　【００８４】請求項５の発明では、後板のファンモータ背面側部位に凹溝部を一体に備え、この凹溝部内に補助配管を挿通するようにしたから、ファンモータと横流ファンとの間が短縮して、送風機の長手方向およびユニット本体の横幅寸法の短縮によるユニット本体の小型化を図れるとともに、凹溝部自体で補助配管のファンモータへの接触を規制する。
　【００８５】請求項６の発明では、少なくとも２本ある補助配管は、個々に分割されてシールドパイプに収納するようにしたから、まとめてシールドパイプに収納されている場合よりもスペースをとらずにすむ。
　【００８６】請求項７の発明では、少なくとも２本ある補助配管は後板の板面に平行に並べたから、従来のようにファンモータと横流ファンとの間のスペースに前後に並べて通すため無理してひねる必要がなくなり、作業性の向上を得られる。
【図面の簡単な説明】
　【図１】第１の発明の一実施例を示す、空気調和機室内ユニットの縦断面図。
　【図２】（Ａ）は、同実施例の、熱交換器が組み付けられる以前の形態の室内ユニット内部の一部正面図。（Ｂ）は、遮蔽部材の斜視図。
　【図３】同実施例の、室内ユニット内部の一部正面図。
　【図４】（Ａ）は、他の実施例の、室内ユニット内部の一部正面図。（Ｂ）は、遮蔽部材の斜視図。
　【図５】第２の発明の一実施例を示す、空気調和機室内ユニットの縦断面図。
　【図６】同実施例の、熱交換器が組み付けられる以前の形態の室内ユニット内部の一部正面図。
　【図７】（Ａ）は、同実施例の、室内ユニット内部の一部正面図。（Ｂ）は、一部の斜視図。
　【符号の説明】２…前面パネル、３…後板、１…ユニット本体、９Ａ…前側熱交換器、９Ｂ…後側熱交換器、１０…熱交換器、１１…室内送風機、Ｆ…フィン、Ｐ…熱交換パイプ、Ｐａ，Ｐｂ…補助配管、１１Ｂ…送風ファン（横流ファン）、１１Ａ…ファンモータ、２２…切欠部、２３…遮蔽部材、２０…規制用突部、２５…リブ、２６…凹溝部、２１…シールドパイプ。